(57)【要約】【課題】  ＩＣカードの不正使用による甚大な損害を防止しつつ、使用者の利便性を確保することができる電子財布及び電子財布用のＩＣカードを提供すること。【解決手段】  自身からＩＣカードに移された額が所定以上であって所定時間後に決済されないときにその金銭が死滅するＩＣカードと接続自在に構成された電子財布であって、前記ＩＣカードが挿入されたときに当該死滅した金銭を復活させる機能を有することを特徴とする電子財布。【選択図】  図１
2004295902.tif 000002
【特許請求の範囲】
【請求項１】
自身からＩＣカードに移された額が所定以上であって所定時間後に決済されないときにその金銭が死滅するＩＣカードと接続自在に構成された電子財布であって、前記ＩＣカードが挿入されたときに当該死滅した金銭を復活させる機能を有することを特徴とする電子財布。
【請求項２】
前記ＩＣカードに対して使用者の身体的データを前記ＩＣカードに転送自在に構成され、そのＩＣカードと接続されたときにそのＩＣカードの身体的データを表示機構に表示させるよう構成されたことを特徴とする請求項１に記載の電子財布。
【請求項３】
前記使用者の身体的データは、顔のパターンであることを特徴とする請求項２に記載の電子財布。
【請求項４】
前記電子財布は、パスワード及び使用者の指紋を認定する機能をさらに備え、パスワード及び使用者の指紋が認定できない場合、使用不可とされるよう構成されたことを特徴とする請求項１から請求項３のうちいずれか１項に記載の電子財布。
【請求項５】
電子財布より所定の金額が転送自在に構成された電子財布用のＩＣカードであって、前記電子財布より転送された所定の金額の情報を記憶する記憶機構と、前記所定の金額が転送されたときを基準として該ＩＣカードに書き込んだ額の使用可能時間或いは該ＩＣカードの自体の使用時間のカウントを開始するカウンター機構と、このカウンター機構により所定のカウントが経過した後に該ＩＣカードに書き込んだ額の使用或いは該ＩＣカードの自体の使用を禁止する機構と、を具備したことを特徴とする電子財布用のＩＣカード。
【請求項６】
前記電子財布用のＩＣカードは、使用者の身体的データを記憶する記憶部が備えられていることを特徴とする請求項５に記載の電子財布用のＩＣカード。
【発明の詳細な説明】
【技術分野】
【０００１】
本発明は発展の著しいＥＣ（Ｅｌｅｃｔｒｉｃ Ｃｏｍｍｅｒｃｅ）流通上における電子財布と電子マネーの安全性、信頼性に関するものである。
【背景技術】
【０００２】
インターネット・ワールドへと地球規模で進展する中で、次世代経済革命と言うべき電子マネーの普及に拍車がかかって来た。
【０００３】
クレジットカード、メンバーカード等のたぐいは著しく普及した。 しかしサインの面倒くささと容易に悪用されたり不正使用が後をたたない。 電子マネーも一部の地域で実証試験が始まっているが、安全性、信頼性においては各種クレジットカードと同様であるためなかなか実用に供しない。
【発明の開示】
【発明が解決しようとする課題】
【０００４】
多額なお金を持ち歩くのは危険であるし、クレジットカードも各種あって決済額には、限度がある。 クレジットカード暗証番号の解読、改ざん、偽造等が多発している。 まして各種クレジットカードが流通しており、消費者は銀行、デパート、スーパー等、何種類ものカードを持たされており、安全上で極めて問題がある。
【０００５】
インターネットがいくら普及しても適切な金銭の決済機能がオンライン上で出来なければＥＣは発展しない。
【０００６】
街中で、スーパーマーケットでの買物においても現金と小銭を持ち歩き、細かい釣銭とかカードの決済のためレジはいつも行列を作っている。 不能率極まりない。
【０００７】
小額でも高額な金銭でも安全に事故もなく、又紛失しても現金のように他人に使われてしまわない現金の決済方法が今や必要とされている。
【課題を解決するための手段】
【０００８】
上記目的を達成するために、本発明は電子財布と電子マネーを１対にしたシステム構成になっており、本人確認用にパスワードの他に指紋パターンの認識と電子マネーには画像メモリに本人の顔写真を格納した。 かつ紛失の際には残高の自動消滅機能も備えた。
【０００９】
電子財布はオンライン上で指紋とパスワードによって金融機関の口座より自分の財布に入力出来る。 電子財布に挿入してある電子マネーには、普通一定の限度を設定して入力出来る。
【００１０】
一定額以上の高額の金銭を電子マネーに入力する場合には、口座から電子財布に移すのと同様に指紋パターンとパスワードを必要とする。
【００１１】
しかし子供にお小遣いを与えるとか、日常の定期券の様に使用する場合は小額の金銭で十分である。 この場合は財布の入力キーさえ押せば電子マネーへ金銭を移せる。
【００１２】
電子マネーから高額な金銭を決済する場合、電子マネーそのものを紛失してしまったら他人に悪用される場合もある。 防止策として電子マネーは所定の額以上の金銭は一定所定時間内に決済さればければ内部のタイマーが動作して消滅する。
【００１３】
電子財布を紛失した場合、悪用を防ぐため電子財布には携帯電話のＰＨＳ、ＰＤＳの受信機能を備えてあるから、電話網からの信号によって残金を死滅させる。 置き忘れ、しまい忘れもあるから、同様に電話網からの信号によって電子財布自身から電子音発生して知らせる又、ＰＨＳ位置情報機能によって所在を所有者に知らせる手段の機能を備える事も出来る。
【発明の効果】
【００１４】
本発明は、以上説明したように構成しているので、以下に記載するような効果を奏する。
【００１５】
電子財布と電子マネーを組合せた構成によって電子財布から電子マネーへお金の入力が出来、電子マネーは所定額以上の金額は、所定時間内、例えば５分とか１０分以内に決済されなければ自己消滅する事。
【００１６】
小銭程度の少ない金銭は消滅しないで残存させることと本人認証を行わなくとも電子マネーに入力できる。 小づかい銭、定期券、高速道料金等の支払いに供する事。
【００１７】
銀行のＡＴＭ、オンライン端末機より電子財布に入金する事と、同様に他の口座への振り込みが出来る事。
【００１８】
電子財布はＰＨＳ、ＰＤＣ等の携帯電話の受信装置を備えて、紛失した場合、電話網を介して死滅信号を発信して残金を消却する事。 財布の置き忘れの所在確認のために、同様に電話網を介して電子財布より電子音を発生して所在を明らかにする事。
【００１９】
本電子財布は所定額以上のオンライン上からの入金及び電子マネーへの入金手続は、本人確認のための指紋認証、パスワードの双方より認証を行って信頼性と安全性を確保する事。
【００２０】
本電子財布は指紋捺印部、読み取りＣＭＯＳエリヤセンサ、制御プロセッサ１体型のＬＳＩと電源部にフイルム電池と太陽電池で構成した事。
【発明を実施するための最良の形態】
【００２１】
以下、添付の図を参照して本発明の実施形態を説明する。
【００２２】
インターネットの普及と伴に、電子マネーの実現はもはや夢でなくなった。２００３年にはＧＩＩ（Ｇｅｎｅｒａｌ Ｉｎｆｏｒｍａｔｉｏｎ Ｉｎｆｒｕｓｔｒａｃｔｕｒｅ）が地球規模で構築する。 ＧＩＩは現在の携帯電話、高速デジタル網が統括して、通信の高速化、高品質化、高信頼性、の確保と地域格差の解消を担っている。
【００２３】
即ち、次世代インターネット上で、現在景気低迷している経済を活発化しようとするものである。 ＥＣ（Ｅｌｅｃｔｒｏｎｉｃ Ｃｏｍｍｅｒｃｅ）は、実験的に各地で始まってきた。 しかし現在はまだ実験の段階であって実用に到っていない。
【００２４】
ネットワークの高速化、プライバシー、安全の確保が実現しないとＥＣの実行は難しい。現在、銀行でＡＴＭを使った決済は単なる預貯金の出し入れと、振り込みに使用しているにすぎない。
【００２５】
欧米はもとより、日本でも各種のカードが日常化して来た。 カードの種類によっては、加盟店にないカードは使えないし、いちいちサインしたり自宅の電話番号を書かされるのは更に面倒である。 又何種類ものカードをユーザは持たされ、管理したり、いちいち暗証番号を覚えておくのも限界に来た。 さらにカードの悪用、不正使用も後をたたない。決済レジには長蛇の列ができ、消費者は我慢の限界に達した。
【００２６】
そこで登場したのが、電子マネーである。 釣り銭ナシ、サインもナシで、高速回線で処理すれば実にスピーディである。 カード読み取り装置さえ店におけば、ユーザはカードを差し込んで、購入金額が正しければエンターキーを押すだけで良い。 これだけで決済終了である。
【００２７】
現金の受け渡しナシ、お釣の小銭ナシ、カードのサインナシでこのうえなく便利である。特に消費税の付加によって生じる小銭が一杯財布に膨らまないで済む。
【００２８】
電子マネー（ウェブ・マネーとも称する）は小銭入れの感覚だが、お札のたっぷり入る電子財布も必要である。
【００２９】
そこで、本発明は電子財布と電子マネーを組合せた電子マネー処理システムを提案する。 図１（ａ），（ｂ）に本発明による電子財布１と電子マネーを示す。 電子マネー１０は別称ＩＣカードとも呼ぶ。
【００３０】
図１（ａ）の構成は、電子財布１はクレジットカードが挿入できる程度の大きさで、ワイシャツのポケットに入る大きさ程度である。 ２は液晶等のディスプレー、３は太陽電池、太陽電池は電子財布内部にある、図示していないフイルム電池に充電する構成になっている。
【００３１】
４は操作用のキーボードスィッチ、５は指紋認証装置を示す。 電子財布１より電子マネー１０にお金を入力する際、ある一定以上の金額の場合、キースイッチ４からＩＤ番号の入力と伴に５に指紋を捺印して本人である事を認証する。
【００３２】
１０の電子マネーには、例えば三千円以上の金額であれば、ＩＤ番号、指紋認証による本人確認を行わなくとも、電子マネー１０を電子財布１に挿入してキーボードより金額を設定してキーボード４の所定の入力キーを押せば一定限度額の金銭が入力される。
【００３３】
これは、子供におこづかいをあげるとか、会社員の夫が出勤する際、１日の小遣いとして手渡すのに都合が良い。 当然落としてしまえば通常の紙幣のように損失となるが、額が小さいのでダメージは少ない。
【００３４】
本電子財布１には、ＰＨＳ又はＰＤＣ（携帯電話）の受信装置が内蔵している。 ６はアンテナで、実際にはフラットアンテナを使用する。 電子財布１の表、又は裏にアンテナ６、フィルム電池９が内蔵する。
【００３５】
図１（ａ）に示す７は通信インタフェース部で電話回線のモジュラージャックに接続する。この通信インターフェースを介して、銀行の口座より電子財布１への入金または支払を行う。 多額な現金を電子財布１に入力可能なため、当然指紋認証とＩＤ番号によって本人である事を確認してから、銀行口座からの振り込みが出来る。
【００３６】
ＰＨＳ、ＰＤＣの受信装置だけでなく送信装置も電子財布に内蔵して、無線でコマンド信号を発信して、本人認証を行って銀行口座から金銭の出し入れしても良い。 携帯電話器と電子財布、電子マネーが１体となった構成になる。
【００３７】
７は電話線、インターネット網との接続用のモジュラージャックであるが、ＰＨＳ、ＰＤＳの送信、受信装置を備えた場合は、無線でのみ銀行口座との決済を行えば７は必要ない。
【００３８】
電子財布１の１１は電子マネー１０との接触部、即ちコネクターを示す。
【００３９】
図１（ｂ）は電子財布の断面を示す。 フラットアンテナ６とフイルム電池９が表又は裏面に内蔵している。 電子マネー１０は電子財布の中に挿入する。８の外部インタフェース部と接触して電子財布と接続する。 図示していないが電子マネー（ＩＣカード）にもフィルム電池等のバッテリを備えている。
【００４０】
電子マネー１０が電子財布１に挿入している時、電子マネーへの充電を行う。電子マネーは日常の支払の他、都市交通の定期券、高速道路の支払にも使用出来る。 ＰＨＳ，ＰＤＣの送信、受信装置を内蔵すれば、車を運転しながら、高速道のトールゲートで料金の決済が可能になる。
【００４１】
ＰＨＳ、ＰＤＣの受信機能は財布１を落としたり、紛失した時に、銀行口座よりダウン・ロードした残金の消滅信号を受け、財布の残金のリセットと同様に、残金を所定の銀行口座へ移す。 この様な機能があれば、紛失、盗難に有効な効力を発揮する。
【００４２】
さらに電子財布１は置き忘れたり、家の中、職場等でしまい忘れした時、ＰＨＳ、ＰＤＣからのコマンド信号によって電子音を発生して、所在を明らかにする事も出来る。
【００４３】
電子マネー１０は所定の金額以下であれば先に説明した様に、そのままカード上に金銭が残存するが、財布１から多額の金を電子マネーに移す場合はキーボード４からのＩＤ番号と、５からの指紋認証によって、本人確認の上電子マネー１０に移す。 これは銀行口座から電子財布へＡＴＭ又は家庭等の端末から移す時も同様な手続きを行う。
【００４４】
電子マネー１０は所定の額以上、三千円以上とか数万円以上を電子財布から移した時、電子マネー上にあるタイマーが起動して所定時間後に、例えば１０分後、５分後に決済されなければ死滅する。
【００４５】
死滅した金銭は当然、電子マネーを財布に挿入して所定の手続きを行えば復活する。このような機能を電子財布、電子マネーに備えてあるので、使用者は安心して使える。実際に流通している紙幣、コインより安全この上ない。 さらに電子マネー７には画像メモリが内蔵してあって、決済端末に挿入した際、モニターに本人の顔写真が写し出されて決済者は本人か否かの確認が出来る。
【００４６】
図２は本発明による電子財布の内部構成を示す。 ２２は電子財布全体の制御プロセッサ１６ビット又は３２ビットのＣＰＵである。 ２１は指紋認識部で指紋捺印部２１ａと半導体エリアセンサ２１ｂ、指紋認識用の制御プロセッサ２１ｃより構成する。
【００４７】
電子財布１の画像メモリ２５には、本人確認用の指紋、又は本人の顔写真を登録してある。 指紋読み取り部２１より読み取った指紋はただちに２５の画像メモリ上の登録指紋と照合する。
【００４８】
指紋読み取り部２１は捺印部２１ａ、ＣＭＯＳエリアセンサ２１ｂと指紋認識制御プロセッサ２１ｃが１体となった構造である。 例えば米国ベリデイコム社、商品名"ＦＰＳ１００"はこの目的に合致しており、これを使用しても良い。２２は電子財布全体を制御するＣＰＵである。
【００４９】
２５は画像メモリ、ここに格納してある本人確認用指紋、顔のイメージは、銀行口座のデータベースにも登録してある。 必要に応じて照合、確認を行う。２３はレジスタ、ＲＯＭ、ＲＡＭで本制御に必要なプログラムを備えている。
【００５０】
２４は乗算、演算部でＤＳＰ（演算プロセッサ）の機能を持っている。 この機能は入力した指紋等のパターンマッチングを高速処理で行う。 ２７は太陽電池とフィルム電池より構成され、太陽電池からフィルム電池へ充電を行う。 フィルム電池は０．１〜０．５ｍｍの薄さで、高イオン導電性高分子固体電解質で実現している。
【００５１】
２８は、ＰＨＳ、ＰＤＣの受信部、送信部を示す。 本発明では財布を安価にするため、受信部のみを備えて、公象無線（ＰＨＳ、ＰＤＣ）信号によって紛失時のデフォルト信号及び所在確認の電子音を出す。
【００５２】
もちろん、ＰＨＳにおいては位置情報の特定も出来るので、コストは多少上がっても特定のデータ信号を出す送信部を備えた方が使い勝手は良い。 本発明では電子マネーの普及を目的としているため、受信部のみあれば当面使用には支障ない。
【００５３】
２９は外部インタフェース部を示す。 ここでは公象回線、インターネット網との接続モジュラージャックと電子マネーを挿入したときの接触部、コネクターを一括して示した。
【００５４】
３０は、ＡＤ／ＤＡ変換部で、指紋入力のパターンを演算処理演算プロセッサ２４で処理して、画像メモリ２５に格納する。 入力した指紋入力は適宜取出して本人確認のパターンマッチングを行う。
【００５５】
３１は液晶ディスプレイ、キースィッチとのインターフェース部を示す。 図１（ａ）に示す電子財布の外観図において、ディスプレイにメッセージが表示され、４のキースィッチによって種々なコマンドを行う事が出来る。
【００５６】
３２は電子財布内部のシステムバスで、指紋読み取り部２１、ＣＰＵ２２等、各種演算機能部及び外部装置とのインタフェースを行う。
【００５７】
図２に示す機能構成はワンチップＬＳＩにして薄型超小型にする事が出来る。例えば日立製作所、商品名"ＳＨマイコン"はユーザの機能をインプリメントするＳＯＳ（システム・オン・シリコン）を可能とする。 従って本発明のようにワイシャツのポケットに入るサイズの電子財布が実現することが出来る。
【００５８】
図３は電子マネーの内部構成を示す。 電子マネー１０は電子財布１と伴に使用するものであって、あたかも財布に金を入れ、支払いの際に金銭同様に扱うものである。 財布１からお金を出す際、電子マネー１０に金銭が入力される。
【００５９】
所定額以上の金銭を電子マネーに入力する場合は、図１に示すキースイッチ４よりパスワードの入力と５より指紋の認証を行わないとお金は入力出来ない。即ち、サイフにカギがかかった状態となっている。 しかし小銭、例えば３千円を限度として、電子サイフ１に電子マネー１０を挿入しておけば、自動的に小銭は入力出来る。
【００６０】
子供におこづかいを与えるとか、会社員が毎朝電子マネーを持って出勤しても良い。クレジットカードと異って悪用される危険性は全く無い。 落してしまっても小額、例えば３千円程度の損害で済む。
【００６１】
図３において、３５は電子マネーの制御プロセッサ、３６はプログラム格納用のＲＯＭ、ＲＡＭ、３７はカウンタ、タイマー、３８は本人確認用の顔写真の入った画像メモリである。 決済端末器に電子マネーを挿入すると、電子マネー１０の画像メモリ３８に登録してある顔のイメージがモニター上に写し出される。従って、決済者は本人である事を確認出来る。
【００６２】
スーパーマーケット等のレジは混雑の度合が激しく、長時間決済に待たされる時がある。一定額以上のお金は、本電子マネーのタイマー３７が動作して、所定時間経過したら消滅してしまうから、本人が財布から電子マネーを引き出した数分後以内に決済しないと有効でなくなる。 この場合、列に並んで自分の番になる直前に本人認証のための手続きを行えば良い。
【００６３】
本機能によって多額な決済は本人以外の人では不可能である。 ３７は計数カウンター、タイマー機能で、お金の額の所定限度以上は財布から引き出した時よりカウンターをスタートする。
【００６４】
所定時間経過後に、小銭を残して決済不能にする。 しかし財布の中に電子マネーを挿入すれば、再び電子マネーへの入金は可能になる。
【００６５】
図３において８はコネクターで電子財布１に挿入した際に接触し、接続する。３９はフィルム電池又はボタン電池で電子マネーの中に埋込まれている。 ４０は電子マネーのシステムバスを示す。
【００６６】
図４は電話器併用型電子マネー決済端末を示す。 ４５は決済端末器、４６は電話ハンドセット、４７は表示パネル、４８はキー入力スイッチ、電話番号とコマンドキーを併用したものを示す。 ４９は電子マネー挿入スロット。 ここに客が電子マネーを挿入してスライドすると電子マネーの残金が端末器４５に移される。
【００６７】
５１はモニターで、家庭用のＴＶで良い。 被決済者は決済者を目視で本人と顔写真を照合して確認出来る。 ５１に示す決済端末器は家庭及び商店で現金決済、電子財布への入金を行う簡易型装置を提供したものである。
【００６８】
５０はモジュラージャックで、ここに電子財布１のインタフェースケーブルを挿入して、電子財布上の指捺認証とパスワードを入力して、銀行口座とオンラインでお金の入金及び振り込みを行う事が出来る。
【００６９】
他人の口座へのお金の振込は、電子財布より同様な手続にて可能である。 電子財布１は本人認証が出来、安全性、高信頼性この上なく、他方面への応用も拡張可能である。 例えば、この機能を利用して電話器型決済端末器より選挙の投票も可能になる。ＥＣ（Ｅｌｅｃｔｒｏｎｉｃ Ｃｏｍｍｅｒｃｅ）上での、ＥＶ（Ｅｌｅｃｔｒｏｎｉｃ Ｖｏｔｉｎｇ）の実現になる。
【００７０】
図５は本発明による電子財布の使用システム構成を示した図である。 本発明による電子財布は落したり、盗難にあった場合、ＰＨＳ、ＰＤＣ等の携帯電話からのデフォルト・信号を発信して、電子財布の中を全て消滅させてしまう事に特徴がある。
【００７１】
又、うっかり置き忘れたりした場合も同様な手段によって所在を明らかにするために、電子音を発生させる事も可能である。 この音を聞いて、所有者は所在を特定する事が出来る。
【００７２】
図５において５２は電話網、ＩＳＤＮ、ＡＴＭ、インターネット、無線網等の公衆網を示す。５３は無線基地局、５４は金融機関、銀行証券、保険会社等のデータベース。
【００７３】
５５はルータで比較的大規模な店舗、デパート、オフィスに設置される。 ５６は銀行にあるＡＴＭ（金銭自動処理機）に本発明による電子財布システムを付加した処理機を示す。街角、大規模店舗、金融機関には本発明による処理機能を備えたＡＴＭを設置する。図５における５８がこの例を示す。
【００７４】
比較的小規模オフィス、店舗には５９に示すようなルータ５５と複数台の電話器併用の決済端末器４５を設置する。 店舗のレジに設置しておけば、いちいちお金の勘定をしなくとも、お客が決済器に電子マネー１０を挿入するだけで用は足りる。
【００７５】
消費税の影響で、１円玉のやりとりもなく、レジに行列を作る事もない。 店にとっても客をさばき易く利便性の向上につながる。 ５１は本人確認を被決済者が行うための顔写真を写すモニターを示す。
【００７６】
図５において６０はホームでの使用例を示す。 電話器併用型の決済端末４５に電子財布１を接続した例を示す。 家庭におけるテレフォンショッピング、ＴＶショッピング、インターネット上での金銭の決済に効力を発揮する。
【００７７】
本発明の特徴の１つに財布を紛失した時、他人に無断で使用出来ない様にデフォルト（死滅）信号を発信する事は前に説明した。 電子財布に内蔵されているＰＨＳ又はＰＤＣの受信部に、公衆網を介して電話器からデフォルト信号を送れば中味は消滅する。従って他人に使われる心配はない。
【００７８】
落したり、置き忘れたりした場合も、同様の手段によって電子財布から電子音を発生させて、所在のありかを所有者に教える事が出来る。 図５の６１は紛失財布の所在を教えるのと、残存金銭のデフォルトを行う手段を示す。 ５７は財布の所有者を示したものである。
【図面の簡単な説明】
【００７９】
【図１】本実施形態による電子財布と電子マネーを示す図である。
【図２】本実施形態における電子財布のシステム構成を示す図である。
【図３】本実施形態における電子マネーのシステム構成を示す図である。
【図４】本実施形態における電子マネー決済端末器を示す図である。
【図５】本実施形態における電子財布、電子マネーの使用環境システム構成を示す図である。
【符号の説明】
【００８０】
１ 電子財布
２ 液晶ディスプレイ
３ 太陽電池
４ キースイッチ
５ 指紋捺印部
６ ＰＨＳ／ＰＤＣアンテナ
７、５０ 電話器接続用モジュラージャック
８、１１ コネクター
９ フイルム電池
１０ 電子マネー（ＩＣカード）
２１ 指紋捺印部
２１ａ 指紋捺印パネル
２１ｂ パターン読取りＣＭＯＳエリヤセンサ
２１ｃ 指紋パターン読取り制御プロセッサ
２２ ＣＰＵ
２３ ＲＯＭ、ＲＡＭ、レジスタ
２４ 演算プロセッサ
２５ 画像メモリ
２６ タイマー、カウンター
２７ 電源部
２８ ＰＨＳ、ＰＤＳ受信装置、送信装置
２９ 外部インタフェース部
３０ ＡＤ、ＤＡ変換器
３１ 表示部、キー入力部インタフェース
３２ 電子財布内部システムバス
３５ 電子マネー制御プロセッサ
３６ ＲＯＭ、ＲＡＭ、レジスタ
３７ タイマー、カウンター
３８ 画像メモリ
３９ 電源部
４０ 電子マネーシステムバス
４５ 電子マネー決済端末器
４６ 電話器ハンドセット
４７ 表示パネル
４８ キー入力スイッチ
４９ 電子マネー挿入スロット
５１ モニター
５２ 公象網
５３ ＰＨＳ、ＰＤＣ基地局
５４ 金融機関
５５ ルータ
５６ ＡＴＭ機
５７ 電子財布所有者
５８ 銀行、街角コーナー
５９ ショップ、店舗
６０ ホーム、小オフィス
【図１】
2004295902.tif 000003
【図２】
2004295902.tif 000004
【図３】
2004295902.tif 000005
【図４】
2004295902.tif 000006
【図５】
2004295902.tif 000007